(57)【要約】【課題】受信特性へ影響を与えることなく送信部の電源ＯＮ／ＯＦＦを行う。【解決手段】電源制御部６は、送信スロットの送信に際し、送信スロットの送信開始時点より前の受信スロットの受信不要ビットに対応するタイミングのうち、送信電源をＯＮするタイミングを選定し、この選定したタイミングに対応するカウント値を制御タイミング生成部４のレジスタ４３に設定する。カウンタ４１は、通信レートに等しいビットレートの再生クロックＰ１をカウントアップする。比較回路４４は、カウンタ４１の出力値とレジスタ４３の設定値とが一致したときに割込み信号Ｐ３を発生して電源制御部６へ出力する。電源制御部６は、割込み信号Ｐ３のタイミングで電源スイッチ３をＯＮとし送信部２へ電源を供給して送信スロットを送信させる。【選択図】      図１
2004153304.tif 000002
【特許請求の範囲】
【請求項１】
マルチパケット通信機能を有し受信スロットの受信中に送信スロットの送信動作を行う携帯電話機において、前記受信スロットの受信不要ビットに対応するタイミングで前記送信スロットを送信する送信部への電源供給をＯＮ／ＯＦＦすることを特徴とする携帯電話機。
【請求項２】
マルチパケット通信機能を有し受信スロットの受信中に送信スロットの送信動作を行う携帯電話機において、前記受信スロットの受信不要ビットに対応するタイミングを示す割込み信号を生成する制御タイミング生成手段と、前記送信スロットを送信する送信部への電源供給を前記割込み信号に応じてＯＮ／ＯＦＦ制御する電源制御手段とを有していることを特徴とする携帯電話機。
【請求項３】
前記制御タイミング生成手段は、通信レートに等しいビットレートの再生クロックを１ビット毎にカウントするカウンタと、受信対象スロットを検出してリセットパルス信号を前記カウンタへ出力する受信スロット監視回路と、前記電源制御手段により設定されるカウント値を保持するレジスタと、前記カウンタの出力値と前記レジスタに保持されたカウント値とを比較し一致したときに前記割込み信号を出力する比較回路とを有していることを特徴とする請求項２記載の携帯電話機。
【請求項４】
前記電源制御手段は、前記送信スロットの送信開始に際し、送信開始時点より前の受信スロットの受信不要ビットに対応するタイミングの内から送信電源をＯＮするタイミングを選定して対応する前記カウンタのカウント値を前記制御タイミング生成手段の前記レジスタに設定し、前記送信スロットの送信終了後、送信終了時点より後の受信スロットの受信不要ビットに対応するタイミングの内から送信電源をＯＦＦするタイミングを選定して対応する前記カウンタのカウント値を前記制御タイミング生成手段の前記レジスタに設定することを特徴とする請求項３記載の携帯電話機。
【請求項５】
前記電源制御手段は、送信電源をＯＮ／ＯＦＦするタイミングを選定するに際し、受信スロットの内の受信対象外のスロットの受信不要ビットに対応するタイミングを選定することを特徴とする請求項４記載の携帯電話機。
【請求項６】
請求項２記載の携帯電話機において、前記制御タイミング生成手段は、各受信スロット毎に受信スロットの予め定められた受信不要ビットに対応するタイミングで周期的に割込み信号を生成出力するパルス生成回路を有し、前記電源制御手段は、前記送信スロットの送信開始に際し、送信開始時点より前に前記パルス生成回路が出力する割込み信号の内から送信電源をＯＮする割込み信号を選定し、前記送信スロットの送信終了後、送信終了時点より後に前記パルス生成回路が出力する割込み信号の内から送信電源をＯＦＦする割込み信号を選定することを特徴とする携帯電話機。
【請求項７】
前記電源制御手段は、前記パルス生成回路が出力する割込み信号の内から送信電源をＯＮ／ＯＦＦする割込み信号を選定するに際し、受信スロットの内の受信対象外のスロットの受信不要ビットに対応する割込み信号を選定することを特徴とする請求項６記載の携帯電話機。
【発明の詳細な説明】
【０００１】
【発明の属する技術分野】
本発明は携帯電話機に関し、特にマルチパケット通信機能を有する携帯電話機の送信電源制御に関する。
【０００２】
【従来の技術】
近年、携帯電話のトラヒック混雑の緩和策として、マルチパケット通信が提唱されている。このマルチパケット通信はＴＤＭＡ（時分割多重）方式であり、複数のスロットによるデータ通信が可能であるのでスルレートを向上できるという長所がある。
【０００３】
しかし、受信スロットの受信中に、送信スロットを送信するために送信部への電源供給をＯＮ／ＯＦＦした場合、電源ＯＮ／ＯＦＦに伴って発生する電源ノイズや負荷変動に起因して、例えばローカル発振信号に歪みが生じる等により受信特性が劣化し、スルーレートの低下や通信断が発生する。
【０００４】
このため従来は、受信スロット期間での送信部の電源ＯＮ／ＯＦＦをなくすことにより、電源ノイズによる受信特性への影響を防止している。そしてマルチパケット通信時には、送信電源を常時ＯＮ状態に保持している。（例えば、特許文献１参照。）
【特許文献１】
特開平１１−３０８１２３号公報（第３−４頁）
【０００５】
【発明が解決しようとする課題】
上述した従来例では、受信スロット期間では送信電源ＯＮ／ＯＦＦをしないようにするために、マルチパケット通信時は送信電源を常時ＯＮ状態に保持している。このため消費電力が増大するという問題点を有している。
【０００６】
本発明の目的は、受信特性へ影響を与えることなく受信スロット期間に送信部の電源ＯＮ／ＯＦＦを行うことができ、消費電力を節減してスルレートの高いマルチパケット通信を可能にする携帯電話機を提供することにある。
【０００７】
【課題を解決するための手段】
本発明の携帯電話機は、マルチパケット通信機能を有し受信スロットの受信中に送信スロットの送信動作を行う携帯電話機において、前記受信スロットの受信不要ビットに対応するタイミングで前記送信スロットを送信する送信部への電源供給をＯＮ／ＯＦＦする。
【０００８】
具体的には、マルチパケット通信機能を有し受信スロットの受信中に送信スロットの送信動作を行う携帯電話機において、前記受信スロットの受信不要ビットに対応するタイミングを示す割込み信号を生成する制御タイミング生成手段と、前記送信スロットを送信する送信部への電源供給を前記割込み信号に応じてＯＮ／ＯＦＦ制御する電源制御手段とを有している。
【０００９】
また、前記制御タイミング生成手段は、通信レートに等しいビットレートの再生クロックを１ビット毎にカウントするカウンタと、受信対象スロットを検出してリセットパルス信号を前記カウンタへ出力する受信スロット監視回路と、前記電源制御手段により設定されるカウント値を保持するレジスタと、前記カウンタの出力値と前記レジスタに保持されたカウント値とを比較し一致したときに前記割込み信号を出力する比較回路とを有している。
【００１０】
更に、前記電源制御手段は、前記送信スロットの送信開始に際し、送信開始時点より前の受信スロットの受信不要ビットに対応するタイミングの内から送信電源をＯＮするタイミングを選定して対応する前記カウンタのカウント値を前記レジスタに設定し、前記送信スロットの送信終了後、送信終了時点より後の受信スロットの受信不要ビットに対応するタイミングの内から送信電源をＯＦＦするタイミングを選定して対応する前記カウンタのカウント値を前記制御タイミング生成手段の前記レジスタに設定する。また、送信電源をＯＮ／ＯＦＦするタイミングを選定するに際し、受信スロットの内の受信対象外のスロットの受信不要ビットに対応するタイミングを選定するようにしてもよい。
【００１１】
また、本発明の携帯電話機は、マルチパケット通信機能を有し受信スロットの受信中に送信スロットの送信動作を行う携帯電話機において、前記受信スロットの受信不要ビットに対応するタイミングを示す割込み信号を生成する制御タイミング生成手段と、前記送信スロットを送信する送信部への電源供給を前記割込み信号に応じてＯＮ／ＯＦＦ制御する電源制御手段とを有し、前記制御タイミング生成手段は、各受信スロット毎に受信スロットの予め定められた受信不要ビットに対応するタイミングで周期的に割込み信号を生成出力するパルス生成回路を有している。
【００１２】
更に、前記電源制御手段は、前記送信スロットの送信開始に際し、送信開始時点より前に前記パルス生成回路が出力する割込み信号の内から送信電源をＯＮする割込み信号を選定し、前記送信スロットの送信終了後、送信終了時点より後に前記パルス生成回路が出力する割込み信号の内から送信電源をＯＦＦする割込み信号を選定する。また、前記パルス生成回路が出力する割込み信号の内から送信電源をＯＮ／ＯＦＦする割込み信号を選定するに際し、受信スロットの内の受信対象外のスロットの受信不要ビットに対応する割込み信号を選定するようにしてもよい。
【００１３】
【発明の実施の形態】
次に本発明について図面を参照して説明する。
【００１４】
図１は本発明の一実施形態を示すブロック図であり、マルチパケット信号を受信復調する受信部１と、送信スロットを送信する送信部２と、送信部２へ供給する電源をＯＮ／ＯＦＦする電源スイッチ３と、受信部１から出力される再生クロックＰ１および復調出力信号Ｓｒに基づき電源ＯＮ／ＯＦＦの制御タイミングを示す割込み信号Ｐ３を生成する制御タイミング生成部４と、復調出力信号Ｓｒを受けて復号するコーデック５と、制御タイミング生成部４が出力する割込み信号Ｐ３のタイミングを制御すると共に割込み信号Ｐ３に応じて電源スイッチ３のＯＮ／ＯＦＦ制御を行う電源制御部６とを備えている。
【００１５】
ここで、受信部１が出力する再生クロックＰ１は、通信レートに等しいビットレートのパルス信号である。
【００１６】
制御タイミング生成部４は、受信部１から出力される再生クロックＰ１を１ビット毎にカウントするカウンタ４１と、受信部１から出力される復調出力信号Ｓｒを受けて受信対象スロットの終端を検出してリセットパルス信号Ｐ２をカウンタ４１へ出力する受信スロット監視回路４２と、電源制御部６により設定されるカウント値を保持するレジスタ４３と、カウンタ４１の出力カウント値とレジスタ４３に保持されたカウント値とを比較して一致したときに割込み信号Ｐ３を電源制御部６へ出力する比較回路４４とを有している。
【００１７】
ここで、カウンタ４１は、リセットパルス信号Ｐ２を受けたときにカウント値をゼロにセットして再生クロックＰ１のビットをカウントアップする。
【００１８】
電源制御部６は、送信スロットの送信タイミングおよびコーデック５の出力結果に基づき、割込み信号Ｐ３を発生させる受信スロットのビットを選定し、そのビットに対応するカウント値を制御タイミング生成部４のレジスタ４３に設定すると共に、割込み信号Ｐ３に応じて電源スイッチ３をＯＮ／ＯＦＦさせる信号を生成する。
【００１９】
なお、基地局との通信フォーマット（受信スロットのビット配列）は通信システムによって異なっているが、予め規定されているので、受信スロットの任意のビットに対応するタイミングは一義的に決定する。。
【００２０】
このような電源制御部６は、所定の処理プログラム（ソフトウェア）で動作するＣＰＵにより構成することができる。また、回路（ハードウェア）により構成することも可能である。
【００２１】
さて、マルチパケット信号の受信スロットの構成は、例えば図５に示すように、通信データであるパケットデータの他に、同期用の同期ワードおよび基地局との通信状態を監視するための監視用コード、受信スロットの先頭を示すランプや終端を示すガード等から構成されている。ここでは、同期ワードおよび監視用コードは受信スロットの中央部分に配置されている。
【００２２】
ところで、受信スロットの中には受信する必要のないビット配列や、受信スロット毎に受信する必要のないビット配列や、受信時にエラーが発生しても通信に大きな影響を与えることのないビット配列が含まれている。
【００２３】
例えば、図５に示した同期ワードおよび監視用コードは、受信対象のスロットについてだけ受信し、他のスロット（受信対象外のスロット）では受信する必要がない。また、受信対象のスロットであっても、受信時にエラーが発生しても通信に大きな影響を与えることはない。
【００２４】
ここで、受信スロット毎に受信する必要のないビットや受信時にエラーが発生しても通信に大きな影響を与えないビットを受信不要ビットと称する。なお、図５に示したパケットデータ以外は受信不要ビットの対象となりうる。
【００２５】
本発明は、各受信スロットの受信不要ビットに対応するタイミングで送信電源のＯＮ／ＯＦＦを行うことにより、受信特性に影響を与えることなく送信部の電源ＯＮ／ＯＦＦを実行できるように構成する。
【００２６】
図２は動作の一例を示すタイミングチャートである。
【００２７】
ここで、図２（ａ）に示すように、受信対象の受信スロットを基準スロットと呼び、受信対象外の受信スロットを非基準スロットと呼ぶことにする。
【００２８】
制御タイミング生成部４のカウンタ４１は、図２（ｂ）に示すように、基準スロットの終端でリセットパルス信号Ｐ２によりリセットされて再生クロックＰ１のカウントを開始し、次の基準スロットの終端までの期間、再生クロックＰ１をカウントアップする。
【００２９】
送信スロットの送信に際し、電源制御部６は、送信スロットの送信開始タイミング（図２（ｆ））およびコーデック５の出力結果に基づき、送信開始時点より前の受信スロットの予め定められた受信不要ビットのタイミングのうち、いずれのタイミングにより送信電源をＯＮするのかを選定し、この選定したタイミングに対応するカウント値を制御タイミング生成部４のレジスタ４３に設定する（図２（ｃ））。
【００３０】
ここでは、送信電源をＯＮにするタイミングとして、送信スロットの送信開始前の非基準スロットの受信不要ビットのタイミング（時点ｔ１）を選定し、カウント値（Ｎ１）をレジスタ４３に設定している。
【００３１】
制御タイミング生成部４の比較回路４４は、カウンタ４１の出力値とレジスタ４３の設定値とが一致したときに、つまり、カウンタ４１のカウント値がＮ１になったときに（時点ｔ１）、図２（ｄ）に示すように、割込み信号Ｐ３を発生して電源制御部６へ出力する。
【００３２】
電源制御部６は、図２（ｅ）に示すように、この割込み信号Ｐ３に応じて時点ｔ１に電源スイッチ３をＯＮとし、送信部へ電源を供給して送信スロットを送信させる。
【００３３】
また、送信終了後に送信電源をＯＦＦするが、この場合も送信開始時と同様に、受信スロットの予め定められた受信不要ビットのタイミングにより送信電源をＯＦＦする。
【００３４】
すなわち、電源制御部６は、送信スロットの送信終了タイミングおよびコーデック５の出力結果に基づき、送信終了時点より後の受信スロットの受信不要ビットのタイミングのうち、いずれのタイミングにより送信電源をＯＦＦするのかを選定し、この選定したタイミングに対応するカウント値（Ｎ２）を制御タイミング生成部４のレジスタ４３に設定する（図２（ｃ））。
【００３５】
ここでは、、送信スロットの送信終了後の非基準スロットの受信不要ビットのタイミング（時点ｔ２）を選定し、カウント値（Ｎ２）をレジスタ４３に設定している。なお、非基準スロットの受信不要ビットのタイミングを選定することにより、受信特性への影響を更に少なくできる。
【００３６】
そして、制御タイミング生成部４の比較回路４４は、カウンタ４１の出力値とレジスタ４３の設定値とが一致したときに、つまり、カウンタ４１のカウント値がＮ２になったときに（時点ｔ２）、図２（ｄ）に示すように、割込み信号Ｐ３を発生して電源制御部６へ出力する。
【００３７】
電源制御部６は、図２（ｅ）に示すように、この割込み信号Ｐ３のタイミング（時点ｔ２）で電源スイッチ３をＯＦＦとし、送信部への電源供給を停止させる。
【００３８】
このようにすることにより、受信特性へ影響を与えることなく受信スロット期間に送信電源のＯＮ／ＯＦＦを行うことができる。
【００３９】
また、携帯電話機の回路構成によっては、送信部の電源制御の他にシンセサイザに関する制御を必要とするものもあるが、このような回路構成であっても、受信スロットの受信不要ビットのタイミングに応じて制御することにより、安定した通信を維持できる。
【００４０】
図３は本発明の他の実施形態を示すブロック図である。
【００４１】
図２に示したブロック図との相違点は、制御タイミング生成部７が、受信スロット毎に電源ＯＮ／ＯＦＦの制御タイミングを示す割込み信号Ｐ５を周期的に生成する点、および、電源制御部８が、送信スロットの送信タイミングに基づき割込み信号Ｐ５を選択して送信電源のＯＮ／ＯＦＦ制御を行う点である。
【００４２】
制御タイミング生成部７は、受信部１から出力される再生クロックＰ１および受信スロット監視回路７２から出力されるリセットパルス信号Ｐ４を受けて受信スロット毎に所定のタイミングで割込み信号Ｐ５を出力するパルス生成回路７１と、受信部１から出力される復調出力信号Ｓｒを受けて各受信スロットの終端を検出してリセットパルス信号Ｐ４をパルス生成回路７１へ出力する受信スロット監視回路７２とを有している。
【００４３】
パルス生成回路７１は、受信スロット毎にリセットパルス信号Ｐ４を受けて再生クロックＰ１のビットをカウントアップし、予め設定されたカウント値になったときにパルス（割込み信号Ｐ５）を出力する回路で構成する。あるいは、図１に示したように、カウンタとレジスタと比較回路とで構成してもよい。
【００４４】
なお、パルス生成回路７１が出力する割込み信号Ｐ５のタイミングは、電源制御部８により各受信スロットの任意のビットに対応するように設定可能であるが、ここでは、各受信スロットの予め定められた受信不要ビットに設定される。
【００４５】
図４は動作の一例を示すタイミングチャートである。
【００４６】
制御タイミング生成部７は、図４（ａ），（ｂ）に示すように、各受信スロット（基準スロットおよび非基準スロット）毎に、受信スロットの予め定められた受信不要ビットに対応するタイミングで周期的に割込み信号Ｐ５を生成して電源制御部８へ出力する。
【００４７】
電源制御部８は、送信スロットの送信に際し、送信スロットの送信開始タイミング（図４（ｄ））およびコーデック５の出力結果に基づき、送信開始時点より前の割込み信号Ｐ５のうち、いずれの割込み信号Ｐ５により送信電源をＯＮするのかを選定する。ここでは、図４（ｃ）に示すように、送信スロットの送信開始タイミングの手前の非基準スロットの割込み信号Ｐ５（時点ｔ１）に選定し、送信電源をＯＮとしている。
【００４８】
送信スロットの送信終了後、電源制御部６は、送信スロットの送信終了タイミングおよびコーデック５の出力結果に基づき、送信終了時点より後の割込み信号Ｐ５のうち、いずれの割込み信号Ｐ５により送信電源をＯＦＦするのかを選定する。ここでは、図４（ｃ）に示すように、送信スロットの送信終了後の非基準スロットの割込み信号Ｐ５（時点ｔ２）に選定し、送信電源をＯＦＦとしている。
【００４９】
なお、受信スロットの内の非基準スロットの受信不要ビットに対応する割込み信号を選定することにより、受信特性への影響を更に少なくできる。
【００５０】
このように、各受信スロットの受信不要ビットに対応して周期的に割込み信号Ｐ５を生成させ、送信スロットの送信タイミングに応じて割込み信号Ｐ５を選定して送信電源のＯＮ／ＯＦＦを行うことにより、受信特性へ影響を与えることなく受信スロット期間に送信電源のＯＮ／ＯＦＦを行うことができる。
【００５１】
【発明の効果】
以上説明したように本発明によれば、受信スロットの受信不要ビット（受信スロット毎に受信する必要のないビットや受信時にエラーが発生しても通信に大きな影響を与えないビット）に対応するタイミングで送信電源のＯＮ／ＯＦＦ制御を行うことにより、受信特性へ影響を与えることなく受信スロット期間に送信電源のＯＮ／ＯＦＦを行うことができ、、消費電力を節減してスルレートの高いマルチパケット通信を可能にすることができる。
【００５２】
また、携帯電話機の回路構成によっては、送信部の電源制御の他にシンセサイザに関する制御を必要とするものもあるが、このような回路構成であっても、受信スロットの予め定められた受信不要ビットのタイミングに応じて制御することにより、安定した通信を維持できる。
【図面の簡単な説明】
【図１】本発明の一実施形態を示す図である。
【図２】図１に示した一実施形態の動作の一例を示すタイミングチャートである。
【図３】本発明の他の実施形態を示すブロック図である。
【図４】図３に示した他の実施形態の動作の一例を示すタイミングチャートである。
【図５】受信スロットの構成例を示す図である。
【符号の説明】
１    受信部
２    送信部
３    電源スイッチ
４，７    制御タイミング生成部
５    コーデック
６，８    電源制御部
４１    カウンタ
４２，７２    受信スロット監視回路
４３    レジスタ
４４    比較回路
７１    パルス生成回路
Ｐ１    再生クロック
Ｐ３，Ｐ５    割込み信号
【図１】
2004153304.tif 000003
【図２】
2004153304.tif 000004
【図３】
2004153304.tif 000005
【図４】
2004153304.tif 000006
【図５】
2004153304.tif 000007